(57)【要約】【課題】アクセスポイントに関連したネットワークＩＤ固有の情報あるいはサービスを得ることができるポータブルデバイス及びその通信方式を提供する。【解決手段】店舗１Ａ，１Ｂ，３には、アクセスポイント２Ａ〜２Ｃが設置されており、アクセスポイント２Ａ，２Ｂにはサービスプロバイダ４が接続され、アクセスポイント２Ｃにはサービスプロバイダ４が接続されている。例えば、ＰＤ（ポータブルデバイス）６を所持するユーザが、ＡＰ２Ａの通信エリアに入ると、ＰＤ６とＡＰ２Ａとの間で通信が開始され、ネットワークＩＤが一致すると、ＰＤ６の記憶部に格納され、ネットワークＩＤに対応するアプリケーションが自動的に起動し、対応する情報がディスプレイに表示される。【選択図】図１
2008160528.tif 000002
【特許請求の範囲】
【請求項１】
サービス提供業者等の施設に設置されたアクセスポイントにワイヤレスで接続する通信手段と、
前記アクセスポイントによって予め定められたネットワークＩＤにより起動されるアプリケーションを記憶する記憶部と、
前記アクセスポイントの通信圏内に入ったときに前記アクセスポイントから前記ネットワークＩＤを取得して前記アプリケーションを起動する制御部と、
を備えることを特徴とするポータブルデバイス。
【請求項２】
サービス提供業者等の施設に設置されたアクセスポイントにワイヤレスで接続する通信手段と、
前記アクセスポイントによって予め定められたネットワークＩＤにより起動されるアプリケーションを記憶する記憶部と、
前記アクセスポイントの通信圏内に入ったときに前記アクセスポイントから前記ネットワークＩＤを取得して前記アプリケーションを起動し、通信圏外になったとき、前記起動したアプリケーションを終了させる制御部と、
を備えることを特徴とするポータブルデバイス。
【請求項３】
前記制御部は、前記アクセスポイントの通信圏外になったとき、前記アクセスポイントから取得したデータを消去することを特徴とする請求項２に記載のポータブルデバイス。
【請求項４】
前記記憶部は、前記ネットワークＩＤにドメイン及びアプリケーションを対応させたテーブルを格納していることを特徴とする請求項１または２に記載のポータブルデバイス。
【請求項５】
前記ネットワークＩＤは、ＳＳＩＤ（Service Set Identifier）であることを特徴とする請求項１または２に記載のポータブルデバイス。
【請求項６】
前記制御部は、前記対応するアプリケーションを起動した後、前記アプリケーションに対応した情報をディスプレイに表示することを特徴とする請求項１または２に記載のポータブルデバイス。
【請求項７】
前記制御部は、前記アプリケーションを起動する際、前記アプリケーションの機能の認証を行うことを特徴とする請求項１または２に記載のポータブルデバイス。
【請求項８】
サービス提供業者等の施設に設置されたアクセスポイントと、
前記アクセスポイントを接続するサービスプロバイダと、
前記アクセスポイントの通信エリア内に入ったとき前記アクセスポイントにワイヤレスで接続する通信部、前記アクセスポイントによって予め定められたネットワークＩＤにより起動されるアプリケーションを記憶する記憶部、前記アクセスポイントの通信圏内に入ったときに前記アクセスポイントから前記ネットワークＩＤを取得して前記アプリケーションを起動する制御部を備えたポータブルデバイスと、
を備えたことを特徴とするポータブルデバイスの通信方式。
【請求項９】
前記サービスプロバイダは、前記アクセスポイントを業種または事業者等の単位で接続していることを特徴とする請求項８に記載のポータブルデバイスの通信方式。
【請求項１０】
前記アクセスポイントは、複数からなり、前記業種間、前記事業者等の複数の施設に設置されていることを特徴とする請求項８に記載のポータブルデバイスの通信方式。
【発明の詳細な説明】
【技術分野】
【０００１】
本発明は、音楽や画像の記録及び再生が可能であると共に、ネットワークとの接続を行う通信機能を備えたポータブルデバイス及びその通信方式に関する。
【背景技術】
【０００２】
半導体素子の低電力化、半導体メモリ及びバッテリの大容量化等により、バッテリ駆動による各種の携帯型端末装置（ポータブルデバイス）が開発され、例えば、携帯電話、携帯メモリ装置、オーディオプレーヤ、ＤＶＤプレーヤ等が製品化されている。
【０００３】
ポータブルデバイスによっては、他の電子機器との間で通信が行えるようにした無線ＬＡＮ（Local Area Network）を備えたものがある。無線ＬＡＮにおいては、他の無線ネットワークと区別するため、固有の識別コードを通信フレームのヘッダに格納して通信を行い、アクセスポイント（ＡＰ）とポータブルデバイスとの間で認証がとれたときにネットワークへの加入を認めるように構成されている。
【０００４】
例えば、ＩＥＥＥ８０２．１１規格を用いた無線ＬＡＮでは、ＢＳＳ（Basic Service Set）−ＩＤと呼ばれるネットワークＩＤを用いて携帯型端末装置のネットワークへの加入の可否を決定するほか、加入後は、複数の基地局ＡＰに対してＢＳＳ−ＩＤが重複して割り振られないようにし、ハンドオーバーに伴う一連のプロトコル処理（ネットワークからの脱退、加入、認証、再参加等）を通信を遮断せずに行えるようにし、次の基地局ＡＰへ移動後には、前の基地局ＡＰからのハンドオーバー要求に応じて別のＢＳＳ−ＩＤを上記次の基地局ＡＰから携帯型端末装置へ送信するようにしたハンドオーバー方法が知られている（例えば、特許文献１参照）。この方法によると、ポータブルデバイスは、通信を遮断させずに基地局ＡＰ間を移動することができる。
【特許文献１】特開２００６−２７０６６５号公報
【発明の開示】
【発明が解決しようとする課題】
【０００５】
しかし、従来のポータブルデバイスによると、上記ハンドオーバー方法を採用しても、ネットワークＩＤは各基地局ＡＰと携帯型端末装置（ポータブルデバイス）との間の接続の可否を決定するものであるため、基地局ＡＰに関連したネットワークＩＤに固有の情報あるいはサービスを得たりすることはできない。
【０００６】
従って、本発明の目的は、基地局ＡＰに関連したネットワークＩＤ固有の情報あるいはサービスを得ることができるポータブルデバイス及びその通信方式を提供することにある。
【課題を解決するための手段】
【０００７】
（１）本発明は上記目的を達成するため、サービス提供業者等の施設に設置されたアクセスポイントにワイヤレスで接続する通信手段と、前記アクセスポイントによって予め定められたネットワークＩＤにより起動されるアプリケーションを記憶する記憶部と、前記アクセスポイントの通信圏内に入ったときに前記アクセスポイントから前記ネットワークＩＤを取得して前記アプリケーションを起動する制御部と、を備えることを特徴とするポータブルデバイスを提供する。
【０００８】
（２）また、本発明は上記目的を達成するため、サービス提供業者等の施設に設置されたアクセスポイントにワイヤレスで接続する通信手段と、前記アクセスポイントによって予め定められたネットワークＩＤにより起動されるアプリケーションを記憶する記憶部と、前記アクセスポイントの通信圏内に入ったときに前記アクセスポイントから前記ネットワークＩＤを取得して前記アプリケーションを起動し、通信圏外になったとき、前記起動したアプリケーションを終了させる制御部と、を備えることを特徴とするポータブルデバイスを提供する。
【０００９】
上記各構成によれば、アクセスポイントの通信圏内に入り、ネットワークＩＤが適合すれば、対応するアプリケーションを自動的に起動し、アクセスポイントに関連した固有の情報を得ることができる。
【００１０】
（３）また、本発明は上記目的を達成するため、サービス提供業者等の施設に設置されたアクセスポイントと、前記アクセスポイントを接続するサービスプロバイダと、前記アクセスポイントの通信エリア内に入ったとき前記アクセスポイントにワイヤレスで接続する通信部、前記アクセスポイントによって予め定められたネットワークＩＤにより起動されるアプリケーションを記憶する記憶部、前記アクセスポイントの通信圏内に入ったときに前記アクセスポイントから前記ネットワークＩＤを取得して前記アプリケーションを起動する制御部を備えたポータブルデバイスと、を備えたことを特徴とするポータブルデバイスの通信方式を提供する。
【００１１】
このような方式によれば、ポータブルデバイスがアクセスポイントの通信エリア内に入ると、相互間の通信が行え、アクセスポイントからのネットワークＩＤがポータブルデバイスに存在するとき、ネットワークＩＤに対応するアプリケーションを自動的に起動し、アクセスポイントに関連した固有の情報を得ることができる。
【発明の効果】
【００１２】
本発明によれば、サービス提供業者等の施設に設置されているアクセスポイントから、ネットワークＩＤに関連した固有の情報あるいはサービスを得ることができる。
【発明を実施するための最良の形態】
【００１３】
〔第１の実施の形態〕
（通信方式の構成）
図１は、本発明の第１の実施の形態に係るポータブルデバイス（ＰＤ）通信方式の構成を示す接続図である。ＰＤ通信方式１００は、サービス提供業者である事業主Ｘ１０が所有する店舗１Ａ，１Ｂに設置されたアクセスポイント（ＡＰ）２Ａ，２Ｂと、店舗１Ａ，１Ｂとは異なるサービス提供業者である事業主Ｙ２０の店舗３に設置されたＡＰ２Ｃと、ＡＰ２Ａ，２Ｂに接続されたサービスプロバイダ４と、ＡＰ２Ｃに接続されたサービスプロバイダ５と、店舗１Ａ〜１Ｃにとって顧客となるユーザが所持しているＰＤ６とを備えて構成されている。
【００１４】
店舗１Ａ，１Ｂ，３は、例えば、コンビニエンスストア、家電量販店、チェーン店等である。ここでは、店舗数を３とし、サービスプロバイダ数を２としたが、店舗数及びサービスプロバイダ数に制限はない。
【００１５】
ＡＰ２Ａ，２Ｂは、店舗１Ａ，１Ｂに設置され、無線ＬＡＮ、Ｂｌｕｅｔｏｏｔｈ（ブルートゥース）、電話網接続（携帯電話）、ＺｉｇＢｅｅ（ジグビー）等のインターフェースの１つまたは複数を備えてＰＤ６に接続すると共に、サービスプロバイダ４に接続される通信端末装置である。
【００１６】
ＡＰ２Ｃは、店舗３に設置され、無線ＬＡＮ、Ｂｌｕｅｔｏｏｔｈ、電話網接続（携帯電話）等のインターフェースの１つまたは複数を備えてＰＤ６に接続すると共に、サービスプロバイダ５に接続される通信端末装置である。なお、ＡＰ２Ａ〜２Ｃには、例えば、無線ＬＡＮ機能を備えたパーソナルコンピュータを用いることができる。
【００１７】
サービスプロバイダ４，５は、図示しないインターネットに接続されたサーバーであり、更に、サービスプロバイダ４はＡＰ２Ａ，２Ｂに接続され、サービスプロバイダ５はＡＰ２Ｃに接続されている。
【００１８】
（ＰＤの外観）
図２は、ＰＤ６の外観を示す正面図である。ＰＤ６は、例えば、デジタルプレーヤ、携帯電話、ＰＤＡ（Personal Digital Assistant）等であるが、ここでは、デジタルプレーヤを用いている。ＰＤ６が、電源オン状態にあり、かつＡＰ２Ａ〜２Ｃのいずれかに対して所定距離（例えば、３０メートル）内に入ったときに応答する無線ＬＡＮ、電話網接続、ＺｉｇＢｅｅ等による通信機能を備えている。
【００１９】
ＰＤ６は、筐体６ｂの正面に液晶によるディスプレイ７及びナビゲーションスティック（十字キー）６ａが設けられ、更に、上側面にはイヤホンジャック６ｃ、ホールドスイッチ６ｄが設けられ、左右の側面には図示しない電源スイッチ、ボリュームレバー等が設けられている。
【００２０】
ディスプレイ７は、例えば、３．５インチの表示サイズを有し、解像度が３２０×２６０ドットのＴＦＴカラー液晶ディスプレイが用いられている。
【００２１】
（ＰＤのシステム構成）
図３は、ＰＤ６のシステム構成を示すブロック図である。ＰＤ６は、ＣＰＵを用いて構成されている制御部６００と、制御部６００に接続されたバス６０１と、バス６０１に接続されたＲＡＭ６０２及びＲＯＭ６０３と、オーディオ及び画像のデータを記憶する記憶部６０４と、電源となるバッテリ６０５と、ソケット６０６ａからの電源によりバッテリ６０５を充電する充電部６０６と、バッテリ６０５からＣＰＵ等への電源供給を制御する電源制御部６０７と、ＵＳＢ（ユニバーサル・シリアル・バス）端子６０８ａに接続された電子機器との間でＵＳＢによるデータ伝送を行うＵＳＢユニット６０８と、アクセスポイント（ＡＰ）との間で通信を行う通信部６０９と、ディスプレイ７を駆動する表示駆動回路６１０と、ユーザによって操作される操作部６１１と、操作部６１１と電源制御部６０７を接続するＩ／Ｏポート６１２と、オーディオ及び画像のデータに対する処理を行うデータ処理部６１３と、データ処理部６１３と外部機器とを接続する入出力端子６１４とを備えて構成されている。
【００２２】
ＲＯＭ６０３は、ＰＤ６を動作させるためのプログラムが格納された不揮発性のメモリである。
【００２３】
記憶部６０４は、例えば、ハードディスクドライブ（ＨＤＤ）を用いて構成されており、図４に示すテーブル６０４ａ、各種のアプリケーションプログラム６０４ｂ、及び各種のデータを格納している。
【００２４】
データ処理部６１３は、記憶部６０４から読み出したテレビ放送等の画像を処理して入出力端子６１４へ出力するテレビエンコーダ６１３ａ及び記憶部６０４から読み出したオーディオデータを処理して入出力端子６１４へ出力するオーディオコーデック部６１３ｂを備えている。また、入出力端子６１４からは、デジタル化されたビデオデータやオーディオデータが入力される。
【００２５】
操作部６１１は、ここでは、図２に示したナビゲーションスティック６ａ、ホールドスイッチ６ｄ、電源スイッチ、及びボリュームレバー等を含めたものを称している。
【００２６】
（テーブルの構成）
図４は、テーブル６０４ａの構成図である。テーブル６０４ａは、＃１〜＃ＮのＮ個の区分からなり、各区分は、ネットワークＩＤであるＳＳＩＤ（Service Set Ientifier）、ドメイン（domain）、アプリケーションの３つにより構成されている。
【００２７】
例えば、コンビニエンスストア等のように、業務提携する店舗が複数存在し、且つ、全ての店舗が共通のサービスプロバイダによってネットワークアクセスを実現している場合、ＳＳＩＤは一般に同じになるが、店舗が異なるため、別のドメイン名になるよう設定される。このドメイン名は、例えば、ネットワークのゲートウェイアドレスによって知ることができる。
【００２８】
また、このテーブル６０４ａは、ＰＤ６の設定ファイルとして格納しておく方法も考えられる。この場合、例えば、ＰＤ６をパーソナルコンピュータ（ＰＣ）にＵＳＢ接続或いはネットワーク接続し、ファイルをダウンロードすることで、テーブル６０４ａを更新することができる。
【００２９】
また、テーブル６０４ａの＃３と＃４では、複数のＳＳＩＤを参照して、起動するアプリケーションが決定される。
【００３０】
（ＰＤ通信方式の動作）
図５は、ディスプレイ７に表示される画面例を示し、（ａ）は図１に示す店舗１Ａに対応した画面図、（ｂ）は店舗３に対応した画面図である。また、図６Ａは図３に示す制御部６００による処理例を示すフローチャートである。図１〜図６Ａを参照して、以下にＰＤ通信方式１００の動作を説明する。
【００３１】
ここで、ユーザは、図２に示すＰＤ６を所持して外出中であり、音楽を聞く等して電源オンの状態にあるとする。ユーザが、図１に示す店舗１Ａに近づき、ＰＤ６がＡＰ２Ａと通信可能な距離内に入ると、ＰＤ６は、通信部６０９を介してＡＰ２Ａが発する電波を受信し、ＡＰ２Ａとの接続を開始する。
【００３２】
ここでは、ＡＰ２Ａ〜ＡＰ２ＣとＰＤ６の通信に際しては、ネットワークＩＤ（ＳＳＩＤ）の認証を行うことなく接続を開始することができる。ただし、接続に際し、ＳＳＩＤの認証が完了しないと接続が成立しない場合もある。要求された認証が不成立であった場合、図６Ａに示す処理は実行されない。
【００３３】
ＡＰ２ＡとＰＤ６の接続が成立すると、図６Ａに示す処理が開始される（Ｓ５０１）。ＰＤ６はＡＰ２ＡからネットワークＩＤ（ＳＳＩＤ）を取得する（Ｓ５０２）。次に、図３に示す制御部６００は、図４に示したテーブル６０４ａを参照し（Ｓ５０３）、ＡＰ２Ａから通知されたＳＳＩＤがテーブル６０４ａに存在するか否かを判定する（Ｓ５０４）。ＡＰ２ＡからのＳＳＩＤが存在するとき（Ｓ５０４：ＹＥＳ）、制御部６００は上記ＳＳＩＤに対応するアプリケーションを起動する（Ｓ５０５）。
【００３４】
ＡＰ２Ａから通知されたＳＳＩＤが、例えば、図４に示す「ＳＳＩＤ  ＳＨＯＰ Ａ」に対応していたとすると、制御部６００は、ウェブブラウザ（“http：//index.html”）のアプリケーションを起動して表示駆動回路６１０を動作させ、それまでディスプレイ７に表示されていた表示画像に代えて、図５の（ａ）に示す表示内容をディスプレイ７に表示させる（Ｓ５０８）。
【００３５】
上記Ｓ５０５によるアプリケーションの起動後、制御部６００は、ビープ音またはメロディによる案内音を発生させる（Ｓ５０７）。この機能は、ユーザの選択により、停止させることもできる。また、上記Ｓ５０７の機能を有しないソフトウェア構成であってもよい。上記Ｓ５０７の処理により、ユーザは、ＰＤ６をポケットやバッグ等の中に入れていた場合でも、外部から呼び出しがあったことを知り、ディスプレイ７を見る機会が生じる。なお、ユーザがＰＤ６を手に持っている状態であれば、ディスプレイ７の表示内容を直ちに見ることができる。
【００３６】
ディスプレイ７に図５の（ａ）に示すウェブブラウザが表示されることにより、例えば、ＰＤ６を所持するユーザが店舗１Ａの近傍の道路を歩行中等であれば、ディスプレイ７に表示された内容を見たユーザが興味を示し、店舗１Ａに入ることが予想される。つまり、ＡＰ２ＡとＰＤ６が自動的に通信できることにより、顧客（ユーザ）を店舗１Ａに誘導することができる。
【００３７】
上記Ｓ５０４において、テーブル６０４ａに該当するＳＳＩＤが存在しなかったとき（ＮＯ）、ＡＰ２Ａとの通信を終了し、テーブル６０４ａの＃Ｎのデフォルトのアプリケーション（Default Application）を起動し（Ｓ５０６）、処理を終了する。
【００３８】
次に、ＰＤ６を所持したユーザが店舗１Ａを離れ、他の店舗３に接近すると、店舗１Ａの場合と同様に、ＰＤ６はＡＰ２Ｃから無線ＬＡＮによる電波を受信する。ＰＤ６は、ＡＰ２Ｃから電波を受信すると、図６Ａで説明した処理を開始する。
【００３９】
制御部６００は、ＡＰ２ＣからのＳＳＩＤがテーブル６０４ａに存在したとき（Ｓ５０４：ＹＥＳ）、そのＳＳＩＤに対応するアプリケーションを起動する（Ｓ５０５）。例えば、ＳＳＩＤが「ＳＳＩＤ  ＳＨＯＰ Ｂ」であったとすると、図４のテーブルに示すイメージビュア（image viewer “http：//default.doc”）が起動し、図５の（ｂ）に示す表示内容がディスプレイ７に表示される（Ｓ５０８）。ＰＤ６のディスプレイ７の画面を見たユーザは、所望の行動をとることができる。
【００４０】
（第１の実施の形態の効果）
上記した本発明の第１の実施の形態によると、ＰＤ６は、ＳＳＩＤを取得することで各ＡＰに関連した固有の情報を得ることができる。つまり、ＰＤ６が店舗１Ａ，１Ｂ，３に設置されたＡＰ２Ａ〜２Ｃのいずれかの通信圏内に入ると、ネットワークＩＤの照合に基づいてＰＤ６のアプリケーションが自動的に起動するため、ＰＤ６の所持者に対してメッセージを伝えることができる。
【００４１】
〔第２の実施の形態〕
図６Ｂは、本発明の第２の実施の形態に係るポータブルデバイスの処理を示すフローチャートである。
【００４２】
本実施の形態におけるＰＤ６及びＰＤ通信方式１００の構成は、図１〜図４に示した第１の実施の形態と同じであるが、ＰＤ６における処理に相違がある。すなわち、図６ＡのＳ５０８の処理以降に、ＰＤ６が通信圏外になったときの処理を、図６Ｂのように追加したものである。
【００４３】
図ＡＢにおいては、図６Ａの処理と同様に、ユーザの所持したＰＤ６が図１に示すＡＰ２Ａの通信圏内に入ると（Ｓ５０１）、ＰＤ６はＡＰ２ＡからＳＳＩＤ取得し（Ｓ５０２）、テーブル６０４ａにＡＰ２Ａから通知されたＳＳＩＤがテーブル６０４ａに存在するか否かを判定し（Ｓ５０２、Ｓ５０４）、ＳＳＩＤが存在するとき（Ｓ５０４：ＹＥＳ）、制御部６００は上記ＳＳＩＤに対応するアプリケーションを起動し（Ｓ５０５）、そのアプリケーションによりディスプレイ７が駆動される（Ｓ５０８）。
【００４４】
上記Ｓ５０５の処理が終了すると、制御部６００は、ＰＤ６がＡＰ２Ａの通信圏外になったか否かを判定する（Ｓ５０９）。通信圏外が判定された場合（ＹＥＳ）、上記Ｓ５０５で起動させたアプリケーションを終了する（Ｓ５１０）。このとき、制御部６００は、ＰＤ６がＡＰ２Ａから取得したデータ、例えば、コピーがされ易い音楽データ等を消去する。また、ユーザが図５の（ａ）に示す表示を見て利用しようとしたクーポンが利用できなかった場合、店舗１Ａからのデータを自動消去するようにしてもよい。
【００４５】
以後、他の店舗のＡＰに近づくごとに、上記Ｓ５０１〜Ｓ５１０の処理が繰り返し実行される。
【００４６】
上記した本発明の第２の実施の形態によると、第１の実施の形態による効果が得られると共に、特定のサービスプロバイダから提供されたデータを自動的に消去できるので、提供データを不正に使用されるのを防止することができる。
【００４７】
［他の実施の形態］
なお、本発明は、上記各実施の形態に限定されず、本発明の技術思想を逸脱あるいは変更しない範囲内で種々な変形が可能である。例えば、図５に示す表示言語は英文にしたが、日本語、その他の言語、或いは複数の言語を同時または順番に表示する構成はあってもよい。
【００４８】
また、ディスプレイ７にメッセージを表示すると同時に、或いはメッセージ表示に代えて音声合成等によりメッセージをアナウンスするようにしてもよい。
【図面の簡単な説明】
【００４９】
【図１】本発明の第１の実施の形態に係るポータブルデバイス方式の構成を示す接続図である。
【図２】図１のポータブルデバイスの外観を示す正面図である。
【図３】図２のポータブルデバイスのシステム構成を示すブロック図である。
【図４】図３の記憶部に格納されているテーブルの構成を示す図である。
【図５】ディスプレイに表示される画面例を示す図である。
【図６Ａ】図３の制御部による処理を示すフローチャートである。
【図６Ｂ】本発明の第２の実施の形態に係るポータブルデバイスの処理を示すフローチャートである。
【符号の説明】
【００５０】
１Ａ，１Ｂ，３…店舗、２Ａ，２Ｂ，２Ｃ…ＡＰ（アクセスポイント）、４，５…サービスプロバイダ、６…ＰＤ（ポータブルデバイス）、６ａ…ナビゲーションスティック、６ｂ…筐体、６ｃ…イヤホンジャック、６ｄ…ホールドスイッチ、７…ディスプレイ、１０…事業主Ｘ、２０…事業主Ｙ、１００…ＰＤ通信方式、６００…制御部、６０１…バス、６０２…ＲＡＭ、６０３…ＲＯＭ、６０４…記憶部、６０４ａ…テーブル、６０４ｂ…アプリケーションプログラム、６０５…バッテリ、６０６…充電部、６０６ａ…ソケット、６０７…電源制御部、６０８…ＵＳＢユニット、６０８ａ…ＵＳＢ端子、６０９…通信部、６１０…表示駆動回路、６１１…操作部、６１２…ポート、６１３…データ処理部、６１３ａ…テレビエンコーダ、６１３ｂ…オーディオコーデック部、６１４…入出力端子
【図１】
2008160528.tif 000003
【図２】
2008160528.tif 000004
【図３】
2008160528.tif 000005
【図４】
2008160528.tif 000006
【図５】
2008160528.tif 000007
【図６Ａ】
2008160528.tif 000008
【図６Ｂ】
2008160528.tif 000009